(57)【特許請求の範囲】
【請求項１】
試験乗り物、または、該試験乗り物に近接した物体の存在を警告するための該試験乗り物上のシステム、または、衝突を回避するためのシステムを試験するための装置であって、
該試験乗り物に近接して位置づけられるように構成された自己動力式で独立して移動可能な標的であって、該標的は、車輪を有する支持枠と、少なくとも一つの車輪に作動可能に結合されたモーターと、各車輪に作動可能に結合されたブレーキと、該モーターと該ブレーキと該車輪とに結合され、かつ、該車輪の加速、ブレーキ、操舵を制御するように構成された制御システムと、該制御システムと共に作動可能であり、かつ、該試験乗り物との衝突を回避するように該標的を制御するように構成された衝突回避システムとを含む、標的と、
該標的の下に真空をつくりだすように構成された地面効果システムであって、該地面効果システムは、該真空をつくりだすように構成されたファンと、該標的の下のパネルの中に形成され、かつ、該ファンに流体結合された空洞とを含む、地面効果システムと
を含む、装置。
【請求項２】
前記装置は、試験対象の任意のシステムから分離され、かつ、前記試験乗り物上に搭載されるように構成された第一の無線通信デバイスをさらに含み、前記標的は、該第一の無線通信デバイスと通信し、かつ、前記衝突回避システムに作動可能に結合された第二の無線通信デバイスを含み、該衝突回避システムは、該第二の無線デバイスから受信された情報に基づいて該標的を制御するように構成されている、請求項１に記載の装置。
【請求項３】
前記制御システムは、一つの車輪に他の一つの車輪よりも大きなトルクを選択的に提供するように構成されている、請求項１〜２のいずれか一項に記載の装置。
【請求項４】
前記標的は、乗り物を含み、前記標的は、操舵する、ブレーキをかける、および／または、該標的のモーターを制御するための、ドライバーによって作動させられる制御を随意に含む、請求項１〜３のいずれか一項に記載の装置。
【請求項５】
請求項１〜４のいずれか一項に記載の装置および前記試験乗り物に近接して位置づけられるように構成された複数の自己動力式で独立して移動可能な標的であって、各標的は、車輪を有する支持枠と、該車輪に作動可能に結合されたモーターと、各車輪に作動可能に結合されたブレーキと、該モーターと該ブレーキと該車輪とに結合され、かつ、該車輪の加速、ブレーキ、操舵を制御するように構成された制御システムと、該制御システムと共に作動可能であり、かつ、該試験乗り物との衝突を回避するように該標的を制御するように構成された衝突回避システムとを含む、装置および標的。
【請求項６】
前記標的は、前記試験乗り物よりも実質的に良い、長手方向の加速または短手方向の加速のうち一つを有し、長手方向の加速は、該試験乗り物よりも少なくとも２５パーセント良い、または、該試験乗り物よりも少なくとも５０パーセント良い、または、該試験乗り物よりも少なくとも７５パーセント良い、請求項１〜５のいずれか一項に記載の装置。
【請求項７】
短手方向の加速は、前記試験乗り物よりも少なくとも５０パーセント良い、または、該試験乗り物よりも少なくとも１００パーセント良い、または、該試験乗り物よりも少なくとも１５０パーセント良い、請求項１〜６のいずれか一項に記載の装置。
【請求項８】
試験乗り物、または、該試験乗り物に近接した物体の存在を警告するための該試験乗り物上のシステム、または、衝突を回避するためのシステムを試験するための方法であって、
標的に近接した試験状況において試験乗り物を操作することであって、該標的は、該試験乗り物の性能特性よりも実質的に良い一つまたは複数の性能特性を有する、ことと、
該試験乗り物と該標的との間の衝突の確率を監視することと、
衝突の確率の場合に衝突を回避するように該標的を操作することと
を含み、
該標的は、該標的の下に真空をつくりだすように構成された地面効果システムを含み、該地面効果システムは、該真空をつくりだすように構成されたファンと、該標的の下のパネルの中に形成され、かつ、該ファンに流体結合された空洞とを含む、方法。
【請求項９】
複数の標的をさらに含み、各標的は、前記試験の間操作されており、各標的は、前記試験乗り物の性能特性よりも実質的に良い一つまたは複数の性能特性を有する、請求項８に記載の方法。
【請求項１０】
前記標的は、前記試験乗り物より実質的に良い、長手方向の加速または短手方向の加速のうちの一つを有する、請求項８または請求項９のいずれか一項に記載の方法。
【請求項１１】
長手方向の加速は、前記試験乗り物よりも少なくとも２５パーセント良く、例えば、該試験乗り物よりも少なくとも５０パーセント良く、例えば、該試験乗り物よりも少なくとも７５パーセント良い、請求項８または請求項９のいずれか一項に記載の方法。
【請求項１２】
短手方向の加速は、前記試験乗り物よりも少なくとも５０パーセント良く、例えば、該試験乗り物よりも少なくとも１００パーセント良く、例えば、該試験乗り物よりも少なくとも１５０パーセント良い、請求項８〜１１のいずれか一項に記載の方法。
【発明の詳細な説明】
【背景技術】
【０００１】
（関連出願の参照）
本願は、２０１４年１０月１５日に出願されたアメリカ合衆国仮特許出願第６２／０６３，９５２号および２０１５年４月７日に出願されたアメリカ合衆国仮特許出願第６２／１４３，９７８号に対する利益ならびに優先権を主張し、その内容は、参照によってここに完全に援用される。
【０００２】
（背景）
地上乗り物のための能動的セーフティーシステム／衝突回避システムの現在の試験方法は、一般に標的乗り物を備える。バルーン車またはＳＳＶ（Ｓｔｒｉｋｅａｂｌｅ  Ｓｕｒｒｏｇａｔｅ  Ｖｅｈｉｃｌｅ）の背後にある考え方は、試験対象の乗り物が衝突回避に失敗した場合、試験対象の乗り物はバルーン車またはＳＳＶにぶつかることが可能で、うまくいけば、試験対象の乗り物に対して最小限のダメージしか被らないことが可能であるというものである。
【０００３】
いくつかの重要な欠点が、バルーンまたはＳＳＶ試験には存在する。第一に、バルーンは材質および一般的な構造が乗り物のそれと大きく異なるため、試験車のテストドライバーまたはレーダーデバイスなどのセンサーのどちらにとっても視覚的に、乗り物の現実的な複製ではない。多数の例において、バルーンまたはＳＳＶは、他の乗り物を望ましからざり得る試験へ導く他の乗り物によって牽引される。いくつかの場合において、バルーンまたはＳＳＶは他の乗り物に繋がれるのではなく、自己動力式のキャリッジに乗せられる。しかし、どちらにしても、急速に動かされた場合に、バルーンまたはＳＳＶが変形するか、離昇するか、または他の態様で車のように振る舞わないという点で、バルーンまたはＳＳＶの動的機能が、実行され得る試験を限定し得る。バルーンまたはＳＳＶがぶつかられることが予想されるので、試験乗り物へのダメージの危険性は常に残り、そして通常、試験乗り物と繰り返し衝突した後には、最終的にバルーンまたはＳＳＶは交換される必要がある。
【発明の概要】
【課題を解決するための手段】
【０００４】
（概要）
ここでのこの概要は、下の詳細な説明でさらに説明される、簡易化された形式における概念の選択を紹介するために提供される。この概要および要約は、請求された主題の重要な特徴または本質的な特徴を識別することも意図されておらず、請求された主題の範囲を決定するための助けとして使用されることも意図されていない。請求された主題は、背景に記された、任意または全ての不利な点を解決する実現に限定されない。
【０００５】
開示の第一様態は、試験対象の乗り物（以下、「試験乗り物」としても参照される）、もしくは、試験乗り物に近接した物体の存在を警告するための試験乗り物上のシステム、もしくは、衝突を回避するためのシステムを試験するための、装置またはシステムである。システムは、試験乗り物に近接して位置づけられるように構成された、自己動力式で独立して動くことのできる標的を含む。標的は、車輪を有する支持枠と、少なくとも一つの車輪と作動可能に結合されたモーターと、各車輪と作動可能に結合されたブレーキ、ならびにモーター、ブレーキおよび車輪と結合され、かつ、車輪の加速、ブレーキおよび操舵を制御するように構成された制御システムと、を含む。衝突回避システムは制御システムと共に作動可能であり、かつ、試験乗り物との衝突を回避するために標的を制御するように構成される。
【０００６】
このシステムは、以下の特徴のうち一つまたは複数の特徴を有し得る。例えば、標的は標的の下に真空をつくりだすように構成されたファンを含み得る。好ましくは、空洞は標的の下のパネルにおいて形成され、ファンと流体結合される。
【０００７】
試験対象の任意のシステムから分離された第一無線通信デバイスは、試験乗り物上に搭載され得る。標的は、第一無線通信デバイスと通信しておりかつ衝突回避システムと作動可能に結合された第二無線通信デバイスを含み得る。衝突回避システムは、第二無線デバイスから受信された情報に基づいて標的を制御するように構成される。
【０００８】
試験乗り物の性能を上回る性能を改善するために、制御システムは、一つの車輪に他の車輪よりも大きなトルクを選択的に提供するように構成される。標的は環境における様々な物体を表すために多数の形式をとり得るが、標的は典型的に乗り物を含む。所望すれば、ドライバーによって作動させられる制御は操舵し得、ブレーキをかけ得、および／または標的のモーターを制御し得る。
【０００９】
さらなる実施形態において、装置は、試験乗り物に近接して位置づけられるように構成された複数の自己動力式で独立して動くことのできる標的を含み得、各標的は、車輪を有する支持枠と、車輪と作動可能に結合されたモーターと、各車輪と作動可能に結合されたブレーキ、ならびにモーター、ブレーキおよび車輪と結合され、かつ、車輪の加速、ブレーキおよび操舵を制御するように構成された制御システムと、制御システムと共に作動可能であり、かつ、試験乗り物との衝突を回避するように標的を制御するように構成された衝突回避システムと、を含む。
【００１０】
特に有利な実施形態において、標的は、試験乗り物よりも実質的により良い、長手方向の加速および／または短手方向の加速の一つまたは複数の性能特性を有する。ここで、実質的により良い長手方向の加速は、試験乗り物より少なくとも２５パーセント良い。さらなる好ましい実施形態において、長手方向の加速は試験乗り物より少なくとも５０パーセント良い。なおさらなる好ましい実施形態において、長手方向の加速は試験乗り物より少なくとも７５パーセント良い。一方、ここで、実質的により良い短手方向の加速は、試験乗り物より少なくとも５０パーセント良い。さらなる好ましい実施形態において、短手方向の加速は試験乗り物より少なくとも１００パーセント良い。なおさらなる好ましい実施形態において、短手方向の加速は試験乗り物より少なくとも１５０パーセント良い。例えば、標的は、必要なときに標的が加速（一つの実施形態において、１ｇ＋加速）することを可能にするようなより強力なモーターもしくはエンジンを有し得、かつ／または能動的地面効果の使用を通じて改善された減速を有し得、改善された減速は標的がより速く停止することを可能にし、かつ／または操舵を可能にする。
【００１１】
開示の第二様態は、試験乗り物、または、試験乗り物に近接した物体の存在を警告するための試験乗り物上のシステム、または、衝突を回避するためのシステムを試験するための方法であり、この方法は、標的に近接した試験状況において試験乗り物を操作することであって、この標的は試験乗り物の性能特性より実質的に良い一つまたは複数の性能特性を有する、ことと、試験乗り物と標的との間の衝突の確率に対して監視することと、衝突の確率が予め決定された閾値を超えたとき、衝突の確率の場合に衝突を回避するために標的を操作することと、を含む。所望すれば、この方法は複数の標的を含み得、各標的は試験の間操作され、各標的は試験乗り物の性能特性より実質的に良い一つまたは複数の性能特性を有する。装置における上記の特徴のうちの一つまたは複数は、この方法に含まれ得る。
【００１２】
開示の第三様態は、車輪を有する支持枠と、一つまたは複数の車輪と作動可能に結合されたモーターと、各車輪と作動可能に結合されたブレーキとを含む、車輪付き機器である。制御システムはモーター、ブレーキおよび車輪と結合され、かつ、車輪の加速、ブレーキおよび操舵を自律的に制御するように構成される。衝突回避システムは制御システムと共に作動可能で、かつ、試験乗り物との衝突を回避するように構成される。地面効果システムは、キャリッジ上の下向きに面しているパネルと表面との間に真空をつくりだすように構成され、機器は表面上を移動する。一つの実施形態において、地面効果システムはファンを含む。典型的に、空洞はファンと流体結合され、かつ／またはスカートは真空を増加させるために提供される。
本発明は、例えば、以下を提供する。
（項目１）
試験乗り物、または、該試験乗り物に近接した物体の存在を警告するための該試験乗り物上のシステム、または、衝突を回避するためのシステムを試験するための装置であって、
該試験乗り物に近接して位置づけられるように構成された自己動力式で独立して動くことができる標的を含み、
該標的は、車輪を有する支持枠と、少なくとも一つの車輪と作動可能に結合されたモーターと、各車輪と作動可能に結合されたブレーキ、ならびに該モーター、ブレーキおよび車輪と結合され、かつ、該車輪の加速、ブレーキおよび操舵を制御するように構成された制御システムと、該制御システムと共に作動可能であり、かつ、該試験乗り物との衝突を回避するように該標的を制御するように構成された衝突回避システムとを含む、装置。
（項目２）
前記標的の下に真空をつくりだすように構成されたファンをさらに含む、項目１に記載の装置。
（項目３）
前記標的の下のパネルに形成され、かつ前記ファンに流体結合された空洞をさらに含む、項目２に記載の装置。
（項目４）
試験対象の任意のシステムから分離され、かつ前記試験乗り物上に搭載されるように構成された第一無線通信デバイスをさらに含み、前記標的が、該第一無線通信デバイスと通信しておりかつ前記衝突回避システムと作動可能に結合されている第二無線通信デバイスを含み、該衝突回避システムが該第二無線デバイスから受信された情報に基づいて該標的を制御するように構成されている、上記の項目のうちのいずれか一項に記載の装置。
（項目５）
前記制御システムが、一つの車輪に他の車輪よりも大きなトルクを選択的に提供するように構成された、上記の項目のうちのいずれか一項に記載の装置。
（項目６）
前記標的が乗り物を含む、上記の項目のうちのいずれか一項に記載の装置。
（項目７）
前記標的は、操舵する、ブレーキをかけるおよび／または該標的のモーターを制御するための、ドライバーによって作動させられる制御を含む、項目６に記載の装置。
（項目８）
前記標的が非動力系乗り物を含み、表す、項目１−５のうちのいずれか一項に記載の装置。
（項目９）
上記の項目のうちのいずれか一項に記載の装置および前記試験乗り物に近接して位置づけられるように構成された複数の自己動力式で独立して動くことのできる標的であって、各標的は、車輪を有する支持枠と、該車輪と作動可能に結合されたモーターと、各車輪と作動可能に結合されたブレーキ、ならびに該モーター、ブレーキおよび車輪と結合され、かつ、該車輪の加速、ブレーキおよび操舵を制御するように構成された制御システムと、該制御システムと共に作動可能であり、かつ該試験乗り物との衝突を回避するように該標的を制御するように構成された衝突回避システムと、を含む、装置および標的。
（項目１０）
前記標的が、前記試験乗り物よりも実質的に良い、長手方向の加速または短手方向の加速のうち一つを有する、上記の項目のうちのいずれか一項に記載の装置。
（項目１１）
長手方向の加速が前記試験乗り物より少なくとも２５パーセント良い、項目１−９のうちのいずれか一項に記載の装置。
（項目１２）
長手方向の加速が前記試験乗り物より少なくとも５０パーセント良い、項目１−９のうちのいずれか一項に記載の装置。
（項目１３）
長手方向の加速が前記試験乗り物より少なくとも７５パーセント良い、項目１−９のうちのいずれか一項に記載の装置。
（項目１４）
短手方向の加速が前記試験乗り物より少なくとも５０パーセント良い、項目１−９または１−１３のうちのいずれか一項に記載の装置。
（項目１５）
短手方向の加速が前記試験乗り物より少なくとも１００パーセント良い、項目１−９または１−１３のうちのいずれか一項に記載の装置。
（項目１６）
短手方向の加速が前記試験乗り物より少なくとも１５０パーセント良い、項目１−９または１−１３のうちのいずれか一項に記載の装置。
（項目１７）
試験乗り物、または、該試験乗り物に近接した物体の存在を警告するための該試験乗り物上のシステム、または、衝突を回避するためのシステムを試験するための方法であって、
標的に近接した試験状況において試験乗り物を操作することであって、該標的は、該試験乗り物の性能特性よりも実質的に良い一つまたは複数の性能特性を有する、ことと、
該試験乗り物と該標的との間の衝突の確率に対して監視することと、
衝突の確率の場合に衝突を回避するように該標的を操作することと
を含む、方法。
（項目１８）
複数の標的をさらに含み、各標的は前記試験の間操作されており、各標的は前記試験乗り物の性能特性よりも実質的に良い一つまたは複数の性能特性を有する、項目１７に記載の方法。
（項目１９）
前記標的が、前記試験乗り物より実質的に良い、長手方向の加速または短手方向の加速のうち一つを有する、項目１７または１８のうちのいずれか一項に記載の方法。
（項目２０）
長手方向の加速が前記試験乗り物より少なくとも２５パーセント良い、項目１７または１８のうちのいずれか一項に記載の方法。
（項目２１）
長手方向の加速が前記試験乗り物より少なくとも５０パーセント良い、項目１７または１８のうちのいずれか一項に記載の方法。
（項目２２）
長手方向の加速が前記試験乗り物より少なくとも７５パーセント良い、項目１７または１８のうちのいずれか一項に記載の方法。
（項目２３）
短手方向の加速が前記試験乗り物より少なくとも５０パーセント良い、項目１７、１８または２０−２２のうちのいずれか一項に記載の方法。
（項目２４）
短手方向の加速が前記試験乗り物より少なくとも１００パーセント良い、項目１７、１８または２０−２２のうちのいずれか一項に記載の方法。
（項目２５）
短手方向の加速が前記試験乗り物より少なくとも１５０パーセント良い、項目１７、１８または２０−２２のうちのいずれか一項に記載の方法。
（項目２６）
前記標的が地面効果システムを含む、項目１７−２５のうちのいずれか一項に記載の方法。
（項目２７）
車輪付き機器であって、該機器は、
車輪を有する支持枠と、
一つまたは複数の車輪と作動可能に結合されたモーターと、
各車輪と作動可能に結合されたブレーキと、
該モーター、ブレーキおよび該車輪と結合され、かつ該車輪の加速、ブレーキおよび操舵を自律的に制御するように構成された制御システムと、
該制御システムと共に作動可能であり、かつ試験乗り物との衝突を回避するように構成された衝突回避システムと、
キャリッジ上の下向きに面しているパネルと表面の間に真空をつくりだすように構成された地面効果システムであって、該機器は、該表面上を移動する、地面効果システムと、を含む機器。
（項目２８）
前記地面効果システムがファンを含む、項目２７に記載の車輪付き機器。
（項目２９）
前記地面効果システムが、前記ファンと流体結合された空洞を含む、項目２８に記載の車輪付き機器。
（項目３０）
前記モーターが電動モーターを含む、項目２７−２９のうちのいずれか一項に記載の車輪付き機器。
（項目３１）
前記モーターが内燃エンジンを含む、項目２７−２９のうちのいずれか一項に記載の車輪付き機器。
【図面の簡単な説明】
【００１３】
【図１】図１は、高度機敏乗り物を使用したシステムの概略図である。
【００１４】
【図２】図２は、試験乗り物の概略図である。
【００１５】
【図２Ａ】図２Ａは、試験乗り物のための駆動システムの概略図である。
【００１６】
【図３】図３は、標的の概略図である。
【００１７】
【図３Ａ】図３Ａは、標的に対する地面効果の概略図である。
【００１８】
【図４】図４は、車上の力とヨーモーメントの図示である。
【００１９】
【図５Ａ】図５Ａ‐５Ｃは、例示的な試験シナリオを示す。
【図５Ｂ】図５Ａ‐５Ｃは、例示的な試験シナリオを示す。
【図５Ｃ】図５Ａ‐５Ｃは、例示的な試験シナリオを示す。
【００２０】
【図６】図６は、図５Ｂの試験シナリオに対するシステムの概略図である。
【００２１】
【図７】図７は、図５Ｂの試験シナリオに対するシステムの概略図である。
【００２２】
【図８】図８‐９は、例示的な試験シナリオを示す。
【図９】図８‐９は、例示的な試験シナリオを示す。
【００２３】
【図１０】図１０は、第一の例示的な標的の平面図である。
【００２４】
【図１１】図１１は、第二の例示的な標的の平面図である。
【００２５】
【図１２】図１２および１３は、標的に搭載可能なパネルを示す。
【図１３】図１２および１３は、標的に搭載可能なパネルを示す。
【発明を実施するための形態】
【００２６】
（例示的実施形態の詳細な説明）
この開示の広範な様態は、衝突回避システムまたは他の能動的乗り物制御システムを有する試験乗り物が、試験に含まれる一つまたは複数の標的に対する試験乗り物の衝突を回避することにより、試験乗り物またはこのシステムの他の構成要素へのダメージの危険性なしに、現実の状態を正確にシミュレーションできる態様で試験されることを可能にするシステムを備える。衝突を回避するほかに、このシステムはまた、試験を一貫して繰り返して、試験乗り物および／または衝突回避システムまたは様々な作動パラメータおよび／または構成部品のための他の能動的乗り物制御システムの性能を評価するために個別の試験間で必要に応じて正確な比較を可能にする試験を可能にし得る。
【００２７】
図１を参照すると、例えばシステム１０は、標的１２が、他の態様では衝突が起こるか、または衝突発生の危険性が選択された閾値または他の測度に達するときに、試験乗り物１４との衝突を回避するために適切な動作をすることができるように、機敏な標的１２（ここでは、標的１２は、人または実際の車を運ぶ能力のない乗り物の複製であり得るがそれに限定されず、あるいは、歩行者や自転車乗用者など、通常道路で見られる他の物体の複製であり得る）と、試験乗り物１４と、センサー（単数または複数）または他のパラメータ生成デバイス（単数または複数）を有する無線通信ネットワーク１６とを含む。
【００２８】
はじめに試験乗り物１４（図２）を参照すると、試験乗り物１４は、他の乗り物または物体との衝突を回避するための一つまたは複数のシステムを有する従来のドライバーによって作動させられる乗り物を含み得、ここでは、一つまたは複数のシステムは、前方を見ているレーダーデバイスを有する衝突回避システム２２および／または試験対象の乗り物間（ｖｅｈｉｃｈｌｅ  ｔｏ  ｖｅｈｉｃｈｌｅ（"Ｖ２Ｖ"））通信ネットワーク２４を使用するシステムとして例示される。本開示の様態は、乗り物の少なくとも一部分を能動的に制御する能動的衝突回避システムに限定されず、乗り物が車線を逸脱したときにドライバーに警告する車線逸脱システムおよび／または、乗り物のドライバーまたは試験乗り物の側方または後方の物体に、例えば、前方を見ているレーダーデバイス２２から得られた情報つきでまたはその情報なしに他の方向に向けられたレーダーデバイスを使用して、警告するシステムなど、乗り物を制御しないがむしろドライバーに警告を与える受動的衝突回避システムにも使用され得ることが理解されるべきである。
【００２９】
本開示の様態は、完全自律の、ドライバーなしの乗り物にも、またはそのような乗り物に作動させるための情報を提供するが、実際に乗り物を作動させることはないシステムを試験するのにも使用され得る。他の実施形態において、試験乗り物１４は、他の態様ではブレーキをかけるか加速するかまたは操舵するといった乗り物の任意の様態を制御するために存在する制御システムを有しない従来のドライバーによって作動させられる乗り物であり得るか、あるいは、所望のときにブレーキをかける（図２Ａのブレーキ３５と作動可能に結合されたブレーキ制御システム１３）か、加速する（図２Ａの一つまたは複数のモーター３７と作動可能に結合された加速制御システム１５）か、または操舵する（操舵制御システム１７）など、ドライバーが典型的に制御する乗り物の様態を制御するための一つまたは複数のシステムを有する従来のドライバーによって作動させられる乗り物であり得る。（ここで、ブレーキ制御システム１３、加速制御システム１５および操舵制御システム１７は、理解のために、図２で別々に示されていることが留意されるべきである。これらのシステムおよび他のシステムは、単一の制御システムまたは試験乗り物１４で所望される任意の態様で、共に組み合わされ得る。）例えば、一つの実施形態において、ドライバーは、試験乗り物１４を制御して、試験乗り物１４をある接近範囲で標的１２の後方に置くために試験乗り物１４を制御するなど、試験乗り物１４を、試験を行うのに適した作動状態に置くために存在し得る。次いで、試験乗り物１４上のシステムのうちの一つまたは複数のシステムは、試験が行われるように、試験乗り物１４の所望の位置または構成を最終決定するために、試験乗り物１４を制御する一つまたは複数の様態を引き継ぎ得る。
【００３０】
次に、図３の機敏な標的１２を参照すると、システム１０のこの構成要素は、一つまたは複数の性能特性および／または標的１２が試験乗り物１４との衝突を回避するための動作（単数または複数）をすることを可能にするシステムを有する。標的１２のいくつかの特性は、限定的であるとも全ての標的の必要な特性であるとも考えられるべきではなく、これらの特性は、標的１２は試験乗り物１４のそれより機敏であり、それによって、標的１２が試験乗り物１４にぶつかられることが明らかになるか、あるいはぶつかられる危険性が一つまたは複数の選択された閾値に達するときに、標的１２が試験乗り物１４の進路から外れて動くことを可能にするということを含む。特に有利な実施形態において、標的１２は、試験乗り物よりも実質的により良い長手方向の加速および／または短手方向の加速の一つまたは複数の性能特性を有する。ここで、実質的により良い長手方向の加速は、試験乗り物より少なくとも２５パーセント良い。さらなる好ましい実施形態において、長手方向の加速は、試験乗り物より少なくとも５０パーセント良い。なおさらなる好ましい実施形態において、長手方向の加速は、試験乗り物より少なくとも７５パーセント良い。一方、ここで、実質的により良い短手方向の加速は、試験乗り物より少なくとも５０パーセント良い。さらなる好ましい実施形態において、短手方向の加速は試験乗り物より少なくとも１００パーセント良い。なおさらなる好ましい実施形態において、短手方向の加速は試験乗り物より少なくとも１５０パーセント良い。例えば、機敏な標的１２は、機敏な標的１２が必要なときに加速する（一つの実施形態において、１ｇ＋加速）ことを可能にするより強力なモーターまたはエンジン３７（図３Ａに概略的に示されている）を有し得、かつ／または、能動的地面効果の使用を通じて改善された減速を有し得、この減速は標的１２がより速く停止することを可能にし、かつ／または操舵を可能にする（下で論じられているように）。
【００３１】
しかし、この時点で、標的１２は、バルーンの使用もしくは他のクラッシュ構造を含み得るか、またはＳＳＶであり、かつ所望すればなお試験乗り物１４との衝突を回避する能力のある機敏な乗り物であり得るということが留意されるべきである。この態様において、使用者は、標的１２が試験乗り物１４にぶつかられ得るのか、あるいは衝突が起きるべきでないのかということを決め得る。
【００３２】
本開示の他の様態として、機敏な標的１２が、例えば２ｇ＋の短手方向の操作性など、改善された短手方向の操作性を有するということが有利である。例えば、機敏な標的１２は能動的地面効果２１を有し得、この能動的地面効果２１は、例えば、乗り物１２のキャリッジまたは支持枠に搭載されたファン１７（図３Ａで概略的に示されている）を含み得、このファン１７は、路面と共に乗り物１２の下に部分真空を、好ましくは、乗り物の下側のパネル（単数または複数）に提供された一つまたは複数の空洞もしくは凹部１９において、つくりだす。乗り物１２の下に部分真空をつくりだすことによって、乗り物のタイヤが路面に与える垂直力が、実質的に増加され得る。道路上のタイヤの最大摩擦力はタイヤによって道路に及ぼされる垂直力に比例するので、垂直力を増加させることは、タイヤが滑る／牽引を中断する前に、タイヤが道路に及ぼし得る最大接線力を増加させる。乗り物の質量を増加させることなくタイヤへの最大接線力を増加させることによって、標的１２はより操作性が高まる。もしタイヤの垂直力が二倍にされれば、タイヤが牽引を中断するのに要する力は二倍になる。乗り物の同じ質量でタイヤが発生させ得る最大力を二倍にすることによって、その乗り物によって発生させられ得る短手方向の加速は二倍になる。同様に、牽引を中断するのに二倍の接線力を要するので、乗り物１２のブレーキ能力もまた、二倍になる。加速に関して、接線力の限界を増加させることは、機敏な標的１２が、タイヤをスピンさせることなくより高いレベルで加速することを可能にする。乗り物の質量を変更することなくダウンフォースを追加することは、標的１２の動的能力を大幅に増加させる。所望すれば、標的１２の地面効果システム２１は、路面に面する平らなもしくはより平らな表面をつくりだすための下側のパネルおよび／または、所望すればファンもしくは送風機からそこを通って真空が引き込まれ得る空洞または凹部をつくりだすために乗り物１２の前部、後部もしくは側部に沿って搭載されたスカート（単数または複数）２５を含み得る。
【００３３】
所望すれば、機敏な標的１２は、機敏な標的１２が偏揺し得るレートを増加させるために推力ベクタリング能力を含み得る。図４は、推力ベクタリングを示す。機敏な標的１２は、乗り物の長手方向軸に沿ったブレーキ制御システム２３からの差動ブレーキ能力を備え付けられ得る。例えば、標的１２が衝突を避けるために左に急速に動く必要がある場合、左側のブレーキが適用され、乗り物１２の後方から離れる方向を向いている矢印３０によって指し示される減速をつくりだす。同時に、加速制御システム２５を通して後方差動装置にパワーが適用され得る。右後方のタイヤに適用されるトルクは、差動ブレーキのおかげで、左後方のタイヤに適用されるそれよりも大きい。右後方のタイヤによって適用される追加のトルクは、乗り物の前方に向かう矢印３２によって表される。この二つの力の結合は、ヨーモーメントを機敏な標的１２に適用し、ヨー軸周りで乗り物１２を加速する。このヨーモーメントは、操舵制御システム２７を通して前方のタイヤによって付与されたヨーモーメントを増加させ、それによって推力ベクタリングの助けのない乗り物と比較してその機敏さを増加させる。乗り物１２は後輪駆動乗り物であり得、他の実施形態においてだが、全輪駆動乗り物はなおより良い性能特性を有し得る。
【００３４】
他の実施形態において、乗り物１２は、適したギヤボックスを通して車輪を一括して、あるいは乗り物の反対側もしくは全隅部において個別に駆動する一つまたは複数の電動モーター３７を含み得る。この態様において、パワーは、上記の推力ベクタリングと類似した推力ベクタリングを引き起こすために、乗り物の各側または各隅の車輪（単数または複数）に選択的に提供され得る。一つの実施形態において、この乗り物は、電動モーターによって個別に駆動される後輪または全輪を有する電動乗り物であり得る。電動乗り物は、それ自体によって高度に機敏な乗り物をもたらす高パワー対重量比を有するように構成され得る。また、上記のように真空をつくりだすためにファン１７、一つもしくは複数の空洞１９および／または一つもしくは複数のサイドスカート２５などの地面効果システム２１が備え付けられれば、電動乗り物は類似して備え付けられた内燃エンジンの性能特性を上回る性能特性を有し得る。
【００３５】
高度に機敏な乗り物１２は、短手方向、長手方向および／または回転（ヨー軸における）の、標準的な道路走行乗り物によって提供される加速能力を遥かに超える加速能力をうみだし得る。これらの高度な加速能力のおかげで、高度に機敏な乗り物１２は「最後の瞬間に」衝突から離れて動き得、衝突に近似しているが衝突なしに試験が行われ得る現実的な試験環境を提供する。
【００３６】
機敏な標的１２は完全自律の、ドライバーなしの乗り物であり得るか、または、ブレーキをかけるか加速するかもしくは操舵するなど、所望のときにドライバーが典型的に制御する乗り物の様態を制御するための、上記のシステムのうちの一つまたは複数のシステムを有する従来のドライバーによって作動させられる乗り物であり得る。例えば、一つの実施形態においてドライバーは、標的１２をある接近範囲で試験乗り物１４の前方に置くために標的１２を制御するなど、試験を行うのに適した作動状態に標的１２を置くよう、標的を制御するために存在し得、その後、標的１２上のシステムのうちの一つまたは複数のシステムは、標的１２の所望の位置または構成を最終決定するために標的１２を制御するための一つまたは複数の様態を引き継ぎ、かつ、試験乗り物１４の前方における減速や急ブレーキなどの、だがそれらに限定されない試験を行う。他の試験で、標的のブレーキ制御システム２３および加速制御システム２５が他の態様で標的１２の速度を制御する間、ドライバーは標的１２を操舵していることができた。
【００３７】
標的１２は、試験乗り物１４、他の標的１２、および／または静止もしくは移動物体など他の物体との衝突を検知するための一つまたは複数の衝突回避システムと作動可能に結合された一つまたは複数のセンサーを備え付けられ得る。概略図１において、これは、レーダー、ライダーまたは超音波システムなどの、だがそれらに限定されない近接センサーシステムを含む物体検知システム４０によって表される。後方を見ているセンサー４２と共に示されているが、追加のセンサーは標的１２から他の方向に向けられて標的１２上に存在し得るということが理解されるべきである。そのようなシステム（単数または複数）は感知される領域における物体（単数または複数）の範囲、範囲レートおよび方位角を計測し得る。これらのシステムによって検知された試験乗り物１４または他の物体の存在に基づいて、標的１２上または他の場所にある衝突回避システム４０は、衝突を回避するために一つまたは複数の動作をするよう標的１２に指示するためにブレーキ、加速および／または操舵をそれぞれ制御する、標的１２のシステム２３、２５および２７に制御命令を提供し得る。
【００３８】
標的１２はまた、試験乗り物１４、他の試験乗り物（単数または複数）、他の標的（単数または複数）１２、静止センサー（単数または複数）および／または遠隔コマンドもしくは監視システム１８との、標的１２の一つまたは複数のシステムの通信を可能にする第二無線通信システム（ここではまた「セーフティーネットワイヤレス」として識別される）５０を備え付けられ得る。はじめに試験乗り物１４との通信を参照すると、標的１２の無線通信システム５０は、例えば、試験乗り物１４上に提供される全地球測位システム（ＧＰＳ）またはリアルタイム（ＲＴＫ  ＧＰＳ）に基づくなど、位置情報システム３２に基づいて試験乗り物１４の位置情報を入手し得る。位置情報のこの無線通信は試験対象の無線通信システム２４から分離し得、従って試験対象の無線通信システム２４に対して冗長であるということが留意されるべきである。
【００３９】
試験乗り物１４から標的（単数または複数）１２ならびに／または遠隔コマンドおよび／もしくは監視システム１８へ伝送され得る他の情報は、試験対象の任意の近接センサーに加えて、試験乗り物１４に搭載された他の冗長な近接センサーからの情報を含む。また、所望すれば、それぞれ位置情報システム３２のＧＰＳ、速度センサー、加速度計、および角速度センサーによって計測され、例えば試験乗り物の現在位置、速度、加速ならびに／またはヨー、ピッチおよび／もしくはロールに関する変化のレートなど試験乗り物と関係のある他の位置情報もまた、伝送され得る。
【００４０】
試験乗り物１４の他の非位置情報もまた、標的（単数または複数）１２ならびに／または遠隔コマンドおよび／もしくは監視システムに伝送され得る。そのような情報は、試験乗り物１４上の試験対象のシステムの出力（単数または複数）および／または試験乗り物１４のブレーキ、操舵などのシステムの作動と関係のあるインディケーションもしくは計測を含み得る。上記の情報のうち任意の情報またはすべてを使用して、標的１２上または遠隔コマンドおよび／もしくは監視システム１８にある衝突回避システム（単数または複数）２２は、衝突が標的１２ならびに、衝突を回避するために一つまたは複数の動作をするためのブレーキ、加速および／または操舵制御システム２３、２５、２７など、標的１２上のコマンドシステム（単数または複数）と共に起こる確率の測度を評価し得る。一般に、衝突の確率の測度は、存在すれば、他の試験乗り物（単数または複数）の位置および軌道ならびに／または試験における標的（単数または複数）１２の位置および軌道に対する、試験乗り物１４の位置および軌道の評価を含む。特に、上記の標的（単数または複数）１２のうち任意の標的またはすべてが、試験における試験乗り物（単数または複数）１４および標的（単数または複数）１２の位置、軌道および／または作動状態情報を提供されれば、衝突の確率の評価は、遠隔監視およびコマンドシステム１８によってならびに／または試験における標的（単数または複数）１２のうち任意の標的または全ての上の搭載システム４０を通して確かめられ得る。
【００４１】
例としてではあるが限定としてではなく、図１は、前方衝突警告システムすなわち（ドライバーが十分に強くブレーキをかけていない場合、乗り物ブレーキシステムのブレーキがドライバーによって適用されたブレーキ力を増大させる）動的ブレーキサポートシステムまたは（ドライバーがブレーキをかけない場合にブレーキを適用する）衝突切迫ブレーキシステムの試験を表し得る。試験乗り物１４は、乗り物ベースのセンサー（典型的にはレーダーもしくはライダー）ならびに／またはＧＰＳ計測から相対的速度および場所が決定される乗り物間（Ｖ２Ｖ）通信２４を通して標的１２の範囲、範囲レートおよび方位角を決定する。
【００４２】
試験対象のシステムとは別個の、位置情報システム３２および／または無線通信ネットワーク５０を通して、高度に機敏な乗り物１２は、試験乗り物１４に対するその相対的速度および場所を決定する。
【００４３】
高度に機敏な乗り物１２は、それ自身のセンサーおよび無線通信ネットワークからのその相対的位置および速度情報ならびにそれ自身を試験実施に必要な適切な状態に位置づけるために行われる試験プロトコルを使用する。前方衝突警告の例に対して、「適切な状態」は試験乗り物１４と標的１２との間の適切な乗り物分離、相対的速度および加速の差から成る。
【００４４】
「適切な状態」が達成されると、高度に機敏な乗り物１２はブレーキまたは他の態様での減速試験イベントを開始する。
【００４５】
試験イベントの間、高度に機敏な乗り物１２および／または遠隔監視局１８は、試験に含まれる全乗り物の範囲、範囲レート、相対的加速および衝突までの時間を監視する。この情報を使用して、遠隔および／または搭載コンピューターはクラッシュ確率測度を継続的に計算する。クラッシュ確率測度が予め設定された閾値に達すると、試験が継続するならクラッシュは起こりそうだと考えられる。この閾値が達せられると、高度に機敏な乗り物１２または遠隔監視局１８は「試験中止」のメッセージを他の標的１２にブロードキャストし、緩やかな中止を行い、試験乗り物１４および他の標的１２の進路から外れて操作し、クラッシュを防ぐ。標的１２のうち任意の標的は、試験に含まれる任意の車との衝突の可能性について継続的に監視し得るということが留意されるべきである。
【００４６】
一般に、各標的１２の性能特性は、衝突を回避するための様々な動作に対して試験され得るか、あるいは他の態様で確かめら得る。これらの性能特性は、衝突回避システム４０および／または遠隔監視局１８によって使用され得る。試験、および試験における各標的１２によって果たされる役割によって、各標的１２の衝突についての監視のために使用される測度は異なり得る。標的１２の機敏さの高い度合いを考慮すると、クラッシュ状態は、類似の動的能力の二台の乗り物と比較されたときよりもより接近され得る。
【００４７】
上記の事柄および図１は単一次元試験の例示で、かつ、特に、試験乗り物１４および標的１２が同じ方向に移動している単一次元試験である。図５Ａ−５Ｃは追加の標的を含む試験を示す。図５Ａは、追加の標的１２Ａもまた同じ車線で移動している（または停止した）一次元の試験を示す。この試験において、車を含む標的１２は試験乗り物１４と同じ方向にだが、試験乗り物１４の前方で移動している。標的と試験乗り物１４との間には他の標的１２Ａがあり、ここではまた試験乗り物１４と同じ方向に移動しているトラックを含む。この試験は、試験乗り物１４および標的トラック１２Ａよりも遅いレートで減速または移動している標的車１２を含む。標的トラック１２Ａが試験乗り物１４と標的車１２との間に置かれることを考慮すると、試験乗り物１４と標的トラック１２Ａとの間の衝突は可能である。この試験は、見通しのきかない三つの乗り物軌道を調整することを含む。試験の間、衝突回避システム２２および／または無線システム２４はドライバーにブレーキ警告インディケーターを発生させ得、および／または乗り物のブレーキを作動させ得る。
【００４８】
図５Ｂは、また二つの標的１２、１２Ｂを含む二次元試験の形式を示す。この試験で、試験乗り物１４の衝突回避システム２２は、もう一方の車線において近づいてくる標的１２Ｂを考慮した場合、ここではより遅いレートで同じ方向へ移動しているバスである標的１２との後突を車線変更によって避けるための操舵が可能であるか、確かめなければならない。図５Ａの試験のように、図５Ｂの試験は、見通しのきかない三つの乗り物軌道を調整することを含む。一つの実施形態において、または標的バス１２Ｂが死角をつくりだす他の実施形態において、この試験は標的バスによってつくりだされる死角内にまだいない標的１２を検知することを含み得る。試験の間、衝突回避システム２２および／または無線システム２４はドライバーに、通行するなという警告インディケーターを発生させ得る。
【００４９】
図６は、図５Ｂの試験における試験乗り物１４および標的１２、１２Ｂの相互作用を概略的に示す。試験乗り物１４は、無線通信（破線）が試験乗り物１４と標的１２、１２Ｂのそれぞれとの間に提供されている図２のシステムを含む。標的１２、１２Ｂのそれぞれは、図３のシステムを含む。各標的１２、１２Ｂにおける衝突回避システム４０は、「試験中止」状態、すなわち試験を中止するか否か、および、試験中止軌道を維持し得、試験中止軌道は、例えば、前もって選択された方向における操舵および停止など試験の前に確立され得、前もって選択された方向における操舵および停止は、衝突回避システム４０からのおよび／またはセイフティーネット無線システム５０からの他の入力（例えばレーダー）から、実施の間に必要に応じて変更され得、衝突回避システム４０および／またはセイフティーネット無線システム５０の通信は、試験乗り物１４、他の標的１２、１２Ｂまたは遠隔監視局１８からであり得る。
【００５０】
図５Ｃはまた、標的１２が試験乗り物１４（ここでは見通しの悪い交差点上）と交わる軌道において接近している二次元試験を含み得る。この試験の一つの実施形態において、標的１２は停止しないがむしろ試験乗り物１４の前方で曲がり、その時点で、試験乗り物１４の無線システム２４からの可能な入力を有する衝突回避システム２２が、衝突を回避するためには操舵および／もしくはブレーキ、またはその二つの組み合わせのいずれが必要なのかを確かめなければならない。
【００５１】
図７は、図５Ｃの試験における、試験乗り物１４および標的１２の相互作用を概略的に示す。試験乗り物１４および標的１２は、図６で説明されたそれらと類似している。しかし、追加のレーダー、または近接センサー４５の他の形式はセイフティーネットシステム５０に追加の情報を提供するために含まれ得るということに留意されたい。所望すれば、試験対象の無線システム２４は道路側装置４７を含み得る。
【００５２】
図８はまた、試験乗り物１４の進行と垂直の、一つまたは両方の方向から接近している標的車１２、１２Ｃ，１２Ｄ、１２Ｄとの交差を含む試験を表現する。再び、この試験は、標的１２、１２Ｃ、１２Ｄ、１２Ｄのうち任意の標的との衝突を回避するための試験乗り物１４が全衝突を回避するためにブレーキつきでまたはブレーキ（場合により加速さえ）なしに操舵を行わなければならないという点で、二次元であるように構成され得る。
【００５３】
追加の標的を有する他の試験は図９に示されている。この試験において、試験乗り物１４は再び試験乗り物１４と同じ車線において二つの標的１２、１２Ｂに後続し、その車線では二つの標的１２、１２Ｂは一つまたは両方の標的１２、１２Ｂが試験乗り物１４の前方で急速に減速する図５Ａの試験シナリオと同じ試験シナリオを提示し得る。しかし、図７において、試験乗り物１４の方向と同じ方向に進行している他の標的１２Ｇは、隣接した車線において後方から試験乗り物１４に接近している。この試験は、一次元よりもむしろ二次元において作動し得る試験シナリオを提示するために複数の標的がいかにして使用され得るかを表し、ここで、一次元の場合、試験乗り物１４は間に合うように停止することによって単に衝突を回避しなければならない。
【００５４】
図９において、試験シナリオは、試験乗り物１４が現在の車線を維持することによって間に合うように停止し得ないように構成され得る。その代わりに、試験乗り物１４は、（後方からの接近している標的１２Ｇを考慮すると）衝突を回避するために操舵し車線を変更するほうが良いのか、あるいは場合により後方からの標的１２Ｇが試験乗り物１４を通り越すまでブレーキをかけるほうが良いのかを確かめる必要があり、通り越した後に試験乗り物１４が（ブレーキを解放し、または解放せずに）それから車線を変更し得る。
【００５５】
この試験のさらなる他の変形において、試験シナリオは、ブレーキが試験乗り物１４の前方で減速している標的１２、１２Ｂとの衝突を回避しないように、かつ後方から接近している標的１２Ｇの進行の位置および／またはレートが、試験乗り物１４が車線を変更できないようにするように構成され得、この場合、任意の衝突を回避するための唯一の実行可能な解決策は右側に道路を逸れ、橋台４３を回避するために路肩に留まることである。
【００５６】
上記において標的１２は四輪乗り物であるが、これは限定的であると考えられるべきではない。乗り物は、オートバイ（二輪または三輪）など、四輪よりも少ない車輪を有し得る。他の実施形態において、標的は道路に存在し得る、非動力系乗り物、（電動自転車など）自転車などの移動物体または歩行者、動物などの形式をとるもしくはそれらの複製の他の動力系機器などを含み得る。上で論じられた標的１２のように、これらの他の非動力系乗り物物体のそれぞれは、試験領域全体において独立して動くことができ、各標的が試験シーケンスを開始するためにそれぞれの位置へ移動し、動き、ならびに試験を行うためにおよび試験の間、その動きを試験乗り物（単数または複数）および／または他の標的と同期させることを可能にするために自己動力式および自律式である。上で論じられた標的１２のように、非動力系乗り物標的のそれぞれは、搭載近接センサーおよび／または標的のそれぞれがその場所を伝送し、試験乗り物（単数または複数）および他の標的（単数または複数）（存在するなら）から上で論じられているような情報を受信することを可能にする無線通信システムを含み得る。遠隔制御および監視システムから受信したコマンドに基づき、ならびに／または搭載衝突回避システムによってなされた評価に基づいて、各標的は試験乗り物（単数または複数）との衝突を回避するため加速、ブレーキおよび／または操舵に対して制御され得る。上で論じられた標的１２のように、非動力系乗り物標的は試験乗り物（単数または複数）の性能特性を上回る性能特性および／またはそれぞれが表す共通の性能特性を上回る性能特性を有し得る。上で論じられた標的１２と同様に、（例えば電気の）高性能のモーターは、性能を改善するために地面効果および差動ブレーキと共に使用され得る。そのように、所望すれば、非動力系乗り物物体は、複数の車輪を有するキャリッジの上に搭載され得る。
【００５７】
さらなる実施形態において、乗り物は、試験乗り物１４上のセンサー（単数または複数）および／または試験対象の衝突回避システムの他の様態によって見られる乗り物または非動力系乗り物の他の型を複製する、パネルまたは他の本体カバーを支持し得る。図１０および図１１は、必要に応じて支持部１０４を有する、一つまたは複数のパネル１０２Ａ、１０２Ｂおよび１０２Ｃを支持するオートバイ１００を示す。パネル１０２Ａは、図１２に示されている（パネル１０２Ｂは、パネル１０２Ａの鏡像だが、所望すれば、またパネル１０２Ａとは異なり得る。パネル１０２Ｃは図１３に示されている。パネル１０２Ａ、１０２Ｂおよび１０２Ｃは平らである必要はないが、例えば、他の乗り物または非動力系乗り物物体を複製するまたはエミュレートするために、所望すれば、また三次元に表面を有し得るということが理解されるべきである。
【００５８】
主題が、構造的特徴および／または方法論的な作用に特有の言葉で説明されてきたが、添付の請求項で画定された主題は、裁判所によって捉えられてきたように上で説明された特有の特徴または作用に必ずしも限定されないということが理解されるべきである。むしろ、上で説明された特有の特徴および作用は、請求項を実現する例示形式として開示される。
【図１】
0006580135.tif 000002
【図２】
0006580135.tif 000003
【図２Ａ】
0006580135.tif 000004
【図３】
0006580135.tif 000005
【図３Ａ】
0006580135.tif 000006
【図４】
0006580135.tif 000007
【図５Ａ】
0006580135.tif 000008
【図５Ｂ】
0006580135.tif 000009
【図５Ｃ】
0006580135.tif 000010
【図６】
0006580135.tif 000011
【図７】
0006580135.tif 000012
【図８】
0006580135.tif 000013
【図９】
0006580135.tif 000014
【図１０】
0006580135.tif 000015
【図１１】
0006580135.tif 000016
【図１２】
0006580135.tif 000017
【図１３】
0006580135.tif 000018